(57)【要約】【課題】  搬送時点では蓋材や集積包装材として使用され、販売時点では簡便な操作で組み立てられ、省スペースでのＰＯＰディスプレイ効果を有すると共に、展示後の再包装利用時にも蓋材や集積包装材としての機能を損なわない展示台兼用スリーブを提供する。【解決手段】  矩形の天部構成板から、表示前板、底板、後板、天部重合構成板が順設され、天部構成板がで傾斜載置板と載置当接板とに分設され、天部構成板と略同幅の天部重合構成板が貼り合せ重合板と、これに連設される折り返し制御板と、折り曲げ制御板とに分設されたブランク板を折り曲げ、天部構成板の長辺側端縁部を貼り合せ重合板に貼着した筒状体で、傾斜載置板と載置当接板とで底板に向う略直角な載置部を屈曲形成し、折り返し制御板の先端部が底板と後板間の折線に略当接し、かつ折り曲げ制御板の先端部が底板と表示前板間の折線に略当接することを特徴とする展示台兼用スリーブ。【選択図】        図５
2005335796.tif 000002
【特許請求の範囲】
【請求項１】
矩形の天部構成板の長辺側一端縁から、折線を介してそれぞれ表示前板、底板、後板、天部重合構成板が順設され、前記天部構成板が、該天部構成板上に前記折線と平行な折線を設けて傾斜載置板と載置当接板とに分設し、前記天部構成板と略同幅の天部重合構成板が、前記後板に連設する貼り合せ重合板と、前記天部重合構成板の長辺側端縁から内向きに穿設される切線と該切線の終点から一方の短辺側端縁に向って前記折線と平行な折線を介して前記貼り合せ重合板に連設される折り返し制御板と、前記切線上の一点から他方の短辺側端縁に向って前記折線と平行な折線を介して前記貼り合せ重合板に連設される折り曲げ制御板とに分設して構成されるブランク板を、折線にて折り曲げ、天部構成板の長辺側端縁部を貼り合せ重合板に貼着した筒状体であって、前記天部構成板が前記底板に向って折り曲げられ前記傾斜載置板と載置当接板とで略直角な載置部を形成し、前記折り返し制御板が折り返されると共に前記折り曲げ制御板が折り曲げられた状態において、前記折り返し制御板の先端部が前記底板と後板間の折線に略当接し、かつ前記折り曲げ制御板の先端部が前記底板と表示前板間の折線に略当接することを特徴とする展示台兼用スリーブ。
【発明の詳細な説明】
【技術分野】
【０００１】
本発明は板紙などシート部材によって形成される紙函に関し、更に詳しくは商品を収納する外函或いは、贈答函の蓋として利用されるスリーブ形カートンであって、販売時点でのＰＯＰディスプレイ効果を有する展示台兼用スリーブに関するものである。
【背景技術】
【０００２】
従来、一般的に用いられる贈答函は、板紙等を加工し組み立てて形成される所謂身蓋函、すなわち矩形の底壁端辺からそれぞれ立設される側壁或いは重合側壁を有するトレー型の身函に商品を載置収納し、同様に構成される被せ蓋を冠装する形式の函で、通常の搬送及び取り扱い時には被せ蓋が冠装された状態で使用され、販売時点の商品陳列にあたっては、被せ蓋を取り外して収納された商品を露出させるとともに、外した被せ蓋は裏返して身函に被せて共に展示するか、外した被せ蓋は別の場所に収納確保されるものであった。しかしながら、被せ蓋は、冠装した状態での意匠を施されるのが常態であるため、裏返して身函に被せて展示した際に、側壁部分に現れる文字を含む意匠が逆転倒立してしまい見苦しいものになってしまうという欠点があり、また被せ蓋を取り外して別の場所に収納確保する際には、紛失の恐れや保存スペースの必要性という問題が有った。
【０００３】
一方、スリーブ形カートンは、前述した身函のような内函と組み合わされスライドする蓋機能を有する外筒式カートンとして使用されたり、直方体形状の商品や個装商品の集積包装用外筒として使用されるもので、特殊な用途として、例えば振り出し口付きカートンでは、不使用時には内装されるカートン本体の振り出し口部分を覆い、使用時にはスライド操作によって振り出し口部分を開放する機能を有する構造体として用いられたり、軽量な製品例えば靴下やタオル等の集合贈答商品では、保形用外筒として用いられ、また重量のある製品の贈答函では、通常の身蓋函取り扱い時点での、収納された重量物商品による身函の落下事故を防止するための外筒として用いられたり、単に贈答函の表面保護のみに外装容器として用いられることもあった。
贈答函にあっても、簡易な組み立て操作で形成できることから、被せ蓋に替えて使用されることがあったが、販売時点の商品陳列にあたっては、取り外したスリーブ形カートンを別の場所に収納確保しておく必要があり、前述した被せ蓋と同様に、紛失の恐れや保存スペースの必要性という問題が有った。
【０００４】
贈答品に限らず、他社商品との差別化の為に多様化が図られた商品群において、販売時点での同種商品の陳列では、単に商品を展示するだけで無く、商品の物性や特徴を明示したり、販売店側からの告知事項を明確に示す必要性が増しており、告知媒体としてのＰＯＰ（販売時点広告）の働きは重要な要素である。しかしながら増加した商品それぞれに、別途のＰＯＰアイテムを準備し店頭展開することは、メーカーサイドではコストアップ要因となり、販売サイドとしては限られたスペースに多くの商品を展示する必要性から、別途のＰＯＰアイテム展示スペースを確保することは難しい状況であった。
【０００５】
上記の如き問題を解決するものとして、身函とその蓋材を形成するスリーブ状カートンからなる贈答函において、スリーブ状カートンの天板の前後端縁から側壁パネルの高さと略等距離の位置に平行な２本の弱め線を設けたことを特徴とした発明が開示されている。当該発明は、前記スリーブ状カートンの天板を、前記平行な２本の弱め線を用いて折り込み、前後それぞれに三角筒状の山部を形成しつつ、天板の後方弱め線中央付近外向きに穿設した舌片を、底板に穿設した切り込みに挿入嵌合して位置固定することで、前後端縁に三角筒状山部を有する展示台状物を形成し、前方三角筒状山部の内方基部に身函の前方底辺を載置し、後方三角筒状山部の突辺に身函底板部を載置して、身函が傾斜して展示されると共に、前方三角筒状山部の正面側パネルすなわち側壁パネルがディスプレイ機能を果たすというＰＯＰ効果を有するものである。しかしながら当該発明では、位置固定操作の為の舌片としてスリーブ状カートンの表面一部を切り破る或いは切り出すこととなるので、固定作業が煩雑であるばかりでなく、展示操作後のスリーブ状カートンは、天板に舌片形成の穴が傷痕として残る為、再包装利用時に蓋材としての機能を損ない、商品としての流通に適さないものになってしまうという欠点があった（例えば、特許文献１参照。）。
【特許文献１】特開平８−２９５３３０号公報
【発明の開示】
【発明が解決しようとする課題】
【０００６】
そこで、本発明の目的は、上記問題を解決するためになしたものであって、搬送ならびに取り扱い時点では蓋材や集積包装材として利用され、販売時点では簡便な操作で組み立てられ、しかも省スペースでのＰＯＰディスプレイ効果を有すると共に、展示後の再包装利用時にも蓋材や集積包装材としての機能を損なうことの無い展示台兼用スリーブを提供することにある。
【課題を解決するための手段】
【０００７】
上記課題を解決するため、請求項１の発明は、矩形の天部構成板の長辺側一端縁から、折線を介してそれぞれ表示前板、底板、後板、天部重合構成板が順設され、前記天部構成板が、該天部構成板上に前記折線と平行な折線を設けて傾斜載置板と載置当接板とに分設し、前記天部構成板と略同幅の天部重合構成板が、前記後板に連設する貼り合せ重合板と、前記天部重合構成板の長辺側端縁から内向きに穿設される切線と該切線の終点から一方の短辺側端縁に向って前記折線と平行な折線を介して前記貼り合せ重合板に連設される折り返し制御板と、前記切線上の一点から他方の短辺側端縁に向って前記折線と平行な折線を介して前記貼り合せ重合板に連設される折り曲げ制御板とに分設して構成されるブランク板を、折線にて折り曲げ、天部構成板の長辺側端縁部を貼り合せ重合板に貼着した筒状体であって、前記天部構成板が前記底板に向って折り曲げられ前記傾斜載置板と載置当接板とで略直角な載置部を形成し、前記折り返し制御板が折り返されると共に前記折り曲げ制御板が折り曲げられた状態において、前記折り返し制御板の先端部が前記底板と後板間の折線に略当接し、かつ前記折り曲げ制御板の先端部が前記底板と表示前板間の折線に略当接することを特徴とする展示台兼用スリーブである。
【発明の効果】
【０００８】
本発明の展示台兼用スリーブは、身函とその蓋材を形成するスリーブ状カートンからなる贈答函または、個装箱或いは商品単体の集積包装材を形成するスリーブ状カートンにおいて、スリーブ状カートンの簡便な折り込み変形並びに固定操作によって商品前面の表示部と商品正面を傾斜展示できる載置部を持つ展示台を形成できるので、省スペースで効果的な展示が可能で、スリーブ状カートン側壁に施された文字等を含む意匠も逆転倒立することなく表示部として利用できる。さらに販売時点における蓋の保管スペースを省くことが可能で有ると共に紛失等の事故を防ぐことが出来、かつ商品の物性や特徴並びに告知事項等を訴求する為の別途のＰＯＰアイテムを製造・輸送並びに展示する工程や作業並びにスペースを必要としないので、短時間でしかも安価な販売促進が行えるという経済的効果を有している。
【０００９】
また、展示台を形成し位置固定する操作が、スリーブ状カートンの内側に重合する天部重合構成板のうち折り返し制御板及び折り曲げ制御板によって行われるので、スリーブ状カートン表面部を切り破ることが無い。この為、展示の為の組み立て操作が簡便であるばかりでなく、展示終了後の再包装利用時にもスリーブ状カートン表面に傷痕等が残らず、蓋材や集積包装材としての機能を損なうことが無く、かつ商品価値を減じることが無いので、再包装後の流通に問題を生じない。
【発明を実施するための最良の形態】
【００１０】
上記の本発明について、図面等を用いて以下に詳述する。図１は本発明にかかる展示台兼用スリーブの実施例の展開平面図。図２は同じく実施例を角筒状に起立させた状態を示す一部切欠斜視図。図３は同じく実施例に内箱を挿入収納する途中状態を示す斜視図。図４（Ａ）は同じく実施例の展示台の組立完成状態を示す説明斜視図。図４（Ｂ）は同じく実施例の展示台の組立完成状態を他の方向から見た説明斜視図。図５は同じく実施例の展示状態を示す斜視図。図６は同じく実施例の展示の側面状態を示す説明図。図７（Ａ）は実施例を用いて単位箱を収納する途中状態を示す斜視図。図７（Ｂ）は同じく単位箱を展示した状態を示す斜視図である。
【００１１】
図１は本発明にかかる展示台兼用スリーブの実施例の展開平面図で、板紙などのシート状物を打ち抜いてなるブランク板Ｒであって、矩形の天部構成板１の長辺側一端縁から、折線Ｌ１、Ｌ２、Ｌ３、Ｌ４を介して、それぞれ表示前板２、底板３、後板４、天部重合構成板５が順設された筒状体ブランクにおいて、前記天部構成板１の折線Ｌ１側端縁に前記表示前板２の高さと略等距離の位置に前記折線Ｌ１と平行な折線Ｌ５を設けて傾斜載置板１ａと載置当接板１ｂとに分設され、前記天部構成板１と略同幅の前記天部重合構成板５は、前記後板４から前記折線Ｌ４を介して延設される貼り合せ重合板５ａと、前記天部重合構成板５の略中央付近から長辺側端縁に直交して穿設される切線６と該切線６の終点から一方の短辺側端縁に直交して設けた折線Ｌ６とで形成される折り返し制御板５ｂと、同じく前記切線６と他方の短辺側端縁に直交し前記長辺側端縁から前記表示前板２の高さと略等距離の位置に設けた折線Ｌ７とで形成される折り曲げ制御板５ｃとにそれぞれ分設されている。図示は省略するが、前記折線Ｌ５及びＬ７は他の折線と異なり逆折りされるので、折り込み易さの為に、部分的な切刃或いはミシン目部分を有する折線としておくことが望ましい。
【００１２】
尚、本実施例において、天部構成板１の折線Ｌ１側端縁に表示前板２の高さと略等距離の位置に前記折線Ｌ１と平行な折線Ｌ５を設けたが、該折線Ｌ５の刻設位置はこれに限定されるものでは無く、スリーブの奥行きと高さの比率によって任意に設計されるものであって、底板３方向に折り込まれる傾斜載置板１ａと載置当接板１ｂとによって形成される載置部の角度が略９0度となるよう設計されることが望ましい。また、同じく本実施例において、切線６は天部重合構成板５の略中央付近から長辺側端縁に直交して穿設されているが、これに限定されるものでは無く、長辺側端縁位置はスリーブの幅によって任意に設計され、前記天部重合構成板５の長辺側端縁の一点から内向きに穿設される寸法は、後述する組み立て操作に際し、前述のように底板３方向に折り込まれる傾斜載置板１ａと載置当接板１ｂとによって形成される載置部の角度が略９0度となる時、折り返し制御板５ｂが折線Ｌ６によって折り返され底板３と後板４間の折線Ｌ３に当接する寸法となるように設計されることが望ましい。さらに、同じく本実施例において、折り曲げ制御板５ｃを分設する折線Ｌ７は切線６から他方の短辺側端縁に直交し前記長辺側端縁から前記表示前板２の高さと略等距離の位置に設けられているが、これに限定されるものでは無く、重合される前記天部構成板１上に設けられた折線Ｌ５と略等しい位置であって前記切線６上の一点から他方の短辺側端縁に直交して刻設されると共に、前記折線Ｌ７から長辺側端縁に至る前記折り曲げ制御板５ｃの長さも、スリーブの奥行きと高さの比率によって任意に設計されるものであって、後述する組み立て操作によって形成される三角筒状の山部からなる表示部の底辺寸法により変化するものである。
【００１３】
図２は同じく本発明の実施例のスリーブを角筒状に起立させた状態を示す一部切欠斜視図で、あらかじめサック貼り機等で、ブランク板Ｒを折り畳み、天部構成板１の長辺側外側端縁部分内面と天部重合構成板５の後板４側端縁部分すなわち貼り合せ重合板５ａとが貼り合わされたカートンを起立させた状態であって、折り返し制御板５ｂと折り曲げ制御板５ｃとは共にスリーブ状カートン内側に有り、天部構成板１に重合している。
【００１４】
図３は同じく本発明の実施例のスリーブに内箱を挿入収納する途中状態を示す斜視図であって、スリーブの一方から挿入される内箱Ｘは通常使用される組み立て式身函を示し、内装されている商品は個装箱Ｙで通常使用される窓貼り式サック箱の窓貼り部から商品が一部露出した状態を示している。このとき、表示前板２に施された意匠部分は、正常に看取できる或いは表示が読み取れる状態に施されるのが常態であり、通常、天部構成板１部分にも内容商品をイメージさせたり、商品のロゴタイプや内容物をそのまま表現するような意匠部分とすることが常態である。
【００１５】
図４は同じく本発明の実施例のスリーブから展示台を組み立てた組立完成状態を示す説明斜視図で、図４（Ａ）は開放端縁のうち、折り返し制御板５ｂ看取方向から見た状態、図４（Ｂ）は折り曲げ制御板５ｃ看取方向から見た状態を示している。
本発明のスリーブの展示台への組み立てにあたっては、挿入収納されている内箱Ｘを引き出した後、先ず天部重合構成板５のうち折り返し制御板５ｂを折線Ｌ６で後板４方向に折り返し、次に天部構成板１に設けた折線Ｌ５を逆折りして前記天部構成板１を底板３方向に折り込み、正面から見て底板３の前端部を底辺として表示前板２と載置当接板１ｂとで形成される三角筒状の山部からなる表示部と、前記底板３の後端部を底辺とし前記載置当接板１ｂに連続する傾斜載置板１ａと後板４とで形成される細長な三角形状の山部からなる載置部とで展示台を形成して組み立てを完了する。
【００１６】
図５は本発明の実施例の展示状態を示す斜視図で、前述の如く組み立てられた展示台の傾斜載置板１ａ上に内箱Ｘの底面を載置すると共に、載置当接板１ｂに内箱Ｘの正面側壁を当接することにより、内箱Ｘが傾斜して展示される。図６は同じく展示の側面状態を示す説明図で、スリーブから天部構成板１を折線Ｌ５で折り曲げ形成された展示台は、表示前板２方向を正面とし、該表示前板２と載置当接板１ｂとが底板３の前端部を底辺とする三角形状の山部を形成すると共に、前記載置当接板１ｂと傾斜載置板１ａが略直角な載置部を形成し、同時に折り曲げられる折り曲げ制御板５ｃの先端部が折線Ｌ２に当接して、形成された三角形状の山部の底辺寸法を維持し縮小する方向に移動することを制御している。前記載置当接板１ｂに延設する傾斜載置板１ａと後板４とは底板３の後端部を底辺とする細長な三角形状の山部を形成すると共に、先に折り返された折り返し制御板５ｂの先端部が折線Ｌ３に当接して、形成された細長な三角形状の山部の底辺寸法を維持し縮小する方向に移動することを制御している。また、上記展示台の形成状態すなわち底板３の前端部を底辺として表示前板２と載置当接板１ｂとで形成される三角筒状の山部からなる表示部と、前記底板３の後端部を底辺とし前記載置当接板１ｂに連続する傾斜載置板１ａと後板４とで形成される細長な三角形状の山部からなる載置部とが形成された状態は、傾斜載置板１ａ上に載置された内箱Ｘの下向きの荷重によって維持される。
【００１７】
展示陳列が終了すると、折り返し制御板５ｂを元の状態に折り返し、天部構成板１をフラットな状態に戻せば、図２に示すようなスリーブ状態に復元でき、商品収納した内箱Ｘを挿入すれば、再包装状態として販売に供することが可能となる。この時、スリーブ表面に傷痕は無く、折り込みによって生じた変形も内箱Ｘの挿入により元の状態に復元できる為、商品価値を大きく損なうことが無く、例えば贈答品として包装紙による包装等の取り扱いなど販売にも支障を生じることがない。
【００１８】
図７（Ａ）は本発明の展示台兼用スリーブの実施例を用いて、単位箱を集積収納する途中の状態を示す斜視図であって、前述のように贈答函としての利用以外に、図示したような個装箱Ｙや、直方体或いは直方体に近似したような商品本体の集積包装材としての、スリーブ形カートンの利用が可能で、例えばゴルフボール等では蓋身型の贈答函タイプの包装が現在も一般的に行われているが、販売時点において個装箱（通常最も多いのが３個入り）での販売も行われており、本発明の展示台兼用スリーブを使用すれば、ＰＯＰディスプレイ機能を付与した集積包装材とすることができる。
図７（Ｂ）は同じく展示台組み立てした本発明の実施例に単位箱を載置した状態を示した斜視図であって、集積包装されていた個装箱Ｙを４個並べた状態である。この状態で、個装箱単位での販売も可能であり、展示台の組み立て形状は残った最低単位の個装箱の下向き荷重で維持することができる。また、商品の展示は載置操作のみで出来るので補充展示操作を容易に行える。ダース単位での購入に際しては、前述の如くスリーブ内に挿入し再包装して販売することが出来、包装紙による贈答品としての取り扱いにも支障を生じない。尚、展示台の組み立て等に関しては、前述の通りであるので省略する。
【図面の簡単な説明】
【００１９】
【図１】本発明にかかる展示台兼用スリーブの実施例の展開平面図。
【図２】同じく実施例を角筒状に起立させた状態を示す一部切欠斜視図。
【図３】同じく実施例に内箱を挿入収納する途中状態を示す斜視図。
【図４】（Ａ）同じく実施例の展示台組立完成状態を示す説明斜視図。                  （Ｂ）同じく展示台組立完成状態を他の方向から見た斜視図。
【図５】同じく実施例の展示状態を示す斜視図。
【図６】同じく実施例の展示の側面状態を示す説明図。
【図７】（Ａ）実施例を用いて単位箱を収納する途中状態を示す斜視図。                  （Ｂ）同じく単位箱を展示した状態を示す斜視図。
【符号の説明】
【００２０】
１                            天部構成板
１ａ                          傾斜載置板
１ｂ                          載置当接板
２                            表示前板
３                            底板
４                            後板
５                            天部重合構成板
５ａ                          貼り合せ重合板
５ｂ                          折り返し制御板
５ｃ                          折り曲げ制御板
６                            切線
Ｌ１〜Ｌ７                    折線
Ｒ                            ブランク板
Ｘ                            内箱
Ｙ                            単位箱
【図１】
2005335796.tif 000003
【図２】
2005335796.tif 000004
【図３】
2005335796.tif 000005
【図４】
2005335796.tif 000006
【図５】
2005335796.tif 000007
【図６】
2005335796.tif 000008
【図７】
2005335796.tif 000009